(57)【要約】【課題】  カードに重要情報を記憶させることにより生じる問題を解決する。【解決手段】  個人端末１１または店舗端末２１それぞれは、１回だけ有効な送信電文としての乱数ＲXまたは乱数ＲYを、所定の通信路（電話網１３やインターネット２２など）を介して間接的に送信し、近接通信により直接に受信した乱数が、送信した乱数ＲXまたは乱数ＲYと一致するかどうかを確認する。本発明は、例えば、近接通信機能を備える通信装置に適用できる。【選択図】図２
2006238128.tif 000002
【特許請求の範囲】
【請求項１】
通信装置と、前記通信装置と通信を行う他の通信装置とで構成される通信システムにおいて、
前記通信装置は、
前記他の通信装置に対して送信する、１回だけ有効な送信電文を生成する生成手段と、
近接通信により、前記他の通信装置と直接に通信を行う第１の通信手段と、
所定の通信路を介して、前記他の通信装置と間接に通信を行う第２の通信手段と、
前記第１および第２の通信手段による通信を制御する制御手段と
を備え、
前記第２の通信手段は、前記所定の通信路を介して、前記生成手段により生成された前記送信電文を前記他の通信装置に送信するとともに、前記他の通信装置から前記所定の通信路を介して送信されてくる他の送信電文を受信し、
前記第１の通信手段は、前記他の通信装置から近接通信により送信されてくる電文を受信するとともに、前記第２の通信手段が受信した前記他の送信電文を前記他の通信装置に近接通信により送信し、
前記制御手段は、前記第１の通信手段が受信した前記電文が、前記第２の通信手段が送信した前記送信電文と一致するかどうかを確認する
ことを特徴とする通信システム。
【請求項２】
他の通信装置との間で通信を行う通信装置において、
前記他の通信装置に対して送信する、１回だけ有効な送信電文を生成する生成手段と、
近接通信により、前記他の通信装置と直接に通信を行う第１の通信手段と、
所定の通信路を介して、前記他の通信装置と間接に通信を行う第２の通信手段と、
前記第１および第２の通信手段による通信を制御する制御手段と
を備え、
前記第２の通信手段は、前記所定の通信路を介して、前記生成手段により生成された前記送信電文を前記他の通信装置に送信するとともに、前記他の通信装置から前記所定の通信路を介して送信されてくる他の送信電文を受信し、
前記第１の通信手段は、前記他の通信装置から近接通信により送信されてくる電文を受信するとともに、前記第２の通信手段が受信した前記他の送信電文を前記他の通信装置に近接通信により送信し、
前記制御手段は、前記第１の通信手段が受信した前記電文が、前記第２の通信手段が送信した前記送信電文と一致するかどうかを確認する
ことを特徴とする通信装置。
【請求項３】
前記第２の通信手段は、前記送信電文および前記他の送信電文をメールとしてやりとりすることにより、前記他の通信装置と間接に通信を行う
ことを特徴とする請求項２に記載の通信装置。
【請求項４】
第１および第２のメールサーバが、送信されてくるメールを指定された宛先に転送し、前記通信装置が前記所定の通信路を介して前記第１のメールサーバにアクセスし、前記他の通信装置が前記所定の通信路を介して前記第２のメールサーバにアクセスする場合、
前記第１の通信手段は、前記他の通信装置から近接通信により送信されてくる、前記他の通信装置を識別する装置識別情報と、前記第２のメールサーバを識別するサーバ識別情報とをさらに受信し、
前記第２の通信手段は、前記サーバ識別情報および前記装置識別情報を指定して、前記送信電文を前記第１のメールサーバにメールとして送信することにより、前記送信電文を前記他の通信装置に送信する
ことを特徴とする請求項３に記載の通信装置。
【請求項５】
前記生成手段は、乱数を前記送信電文として生成する
ことを特徴とする請求項２に記載の通信装置。
【請求項６】
移動体通信装置である
ことを特徴とする請求項２に記載の通信装置。
【請求項７】
他の通信装置に対して送信する、１回だけ有効な送信電文を生成する生成手段と、近接通信により、前記他の通信装置と直接に通信を行う第１の通信手段と、所定の通信路を介して、前記他の通信装置と間接に通信を行う第２の通信手段と、前記第１および第２の通信手段による通信を制御する制御手段とを備え、前記他の通信装置との間で通信を行う通信装置の通信方法において、
前記第２の通信手段において、前記所定の通信路を介して、前記生成手段により生成された前記送信電文を前記他の通信装置に送信するとともに、前記他の通信装置から前記所定の通信路を介して送信されてくる他の送信電文を受信し、
前記第１の通信手段において、前記他の通信装置から近接通信により送信されてくる電文を受信するとともに、前記第２の通信手段が受信した前記他の送信電文を前記他の通信装置に近接通信により送信し、
前記制御手段において、前記第１の通信手段が受信した前記電文が、前記第２の通信手段が送信した前記送信電文と一致するかどうかを確認する
ことを特徴とする通信方法。
【発明の詳細な説明】
【技術分野】
【０００１】
本発明は、通信システム、通信装置、および通信方法に関し、特に、カードに重要情報を記憶させることにより生じる問題を解決する通信システム、通信装置、および通信方法に関する。
【背景技術】
【０００２】
クレジットカード、デビットカード、または電子マネーの機能を備えたカードを用いて取引（購買）するシステムは、金銭と同等な電子的な価値（以下、適宜、バリューという）を取引（決済）する決済カードシステムである。
【０００３】
決済カードシステムでは、ユーザ（顧客）がカードを携帯する。そして、バリューを取引する場合、ユーザのカードに記憶されているデータを、店舗に備え付けられた端末に読み込ませ、その読み込んだデータを、カード発行業者が構築した専用のネットワークを介してカード発行業者に送信してバリューを取引するものや、ユーザが所有する携帯電話機やパーソナルコンピュータなどの端末から、ユーザが入力したカードに関する情報（データ）を、インターネットなどの公衆網を介してカード発行業者に送信してバリューを取引するものがある（例えば、特許文献１，２参照）。
【０００４】
このため、カードには、そのカード（を所有するユーザ）を識別（認証）する情報（秘密鍵）や、ユーザが現在有しているバリューに関する情報などの、重要情報が記憶されるようになされている。そして、カード発行業者は、カードに記憶されている重要情報や、ユーザにより入力された情報から、カードの信憑性を確認し、バリューの移動（決済）を行う。
【０００５】
【特許文献１】特開２００２−１８３４４３号公報
【特許文献２】特開２００１−１７５７５１号公報
【発明の開示】
【発明が解決しようとする課題】
【０００６】
しかしながら、カードに重要情報を記憶させ、そのカードをユーザに携帯させることには、例えば、カードの紛失によりカードに記憶されている重要情報が漏洩するおそれや、カードに記憶されている重要情報が盗み見される（スキミング）おそれなどがある。
【０００７】
本発明は、このような状況に鑑みてなされたものであり、カードに重要情報を記憶させることにより生じる問題を解決することができるようにするものである。
【課題を解決するための手段】
【０００８】
本発明の通信システムは、通信装置は、他の通信装置に対して送信する、１回だけ有効な送信電文を生成する生成手段と、近接通信により、他の通信装置と直接に通信を行う第１の通信手段と、所定の通信路を介して、他の通信装置と間接に通信を行う第２の通信手段と、第１および第２の通信手段による通信を制御する制御手段とを備え、第２の通信手段は、所定の通信路を介して、生成手段により生成された送信電文を他の通信装置に送信するとともに、他の通信装置から所定の通信路を介して送信されてくる他の送信電文を受信し、第１の通信手段は、他の通信装置から近接通信により送信されてくる電文を受信するとともに、第２の通信手段が受信した他の送信電文を他の通信装置に近接通信により送信し、制御手段は、第１の通信手段が受信した電文が、第２の通信手段が送信した送信電文と一致するかどうかを確認することを特徴とする。
【０００９】
本発明の通信装置は、他の通信装置に対して送信する、１回だけ有効な送信電文を生成する生成手段と、近接通信により、他の通信装置と直接に通信を行う第１の通信手段と、所定の通信路を介して、他の通信装置と間接に通信を行う第２の通信手段と、第１および第２の通信手段による通信を制御する制御手段とを備え、第２の通信手段は、所定の通信路を介して、生成手段により生成された送信電文を他の通信装置に送信するとともに、他の通信装置から所定の通信路を介して送信されてくる他の送信電文を受信し、第１の通信手段は、他の通信装置から近接通信により送信されてくる電文を受信するとともに、第２の通信手段が受信した他の送信電文を他の通信装置に近接通信により送信し、制御手段は、第１の通信手段が受信した電文が、第２の通信手段が送信した送信電文と一致するかどうかを確認することを特徴とする。
【００１０】
第２の通信手段には、送信電文および他の送信電文をメールとしてやりとりすることにより、他の通信装置と間接に通信を行うようにさせることができる。
【００１１】
第１および第２のメールサーバが、送信されてくるメールを指定された宛先に転送し、通信装置が所定の通信路を介して第１のメールサーバにアクセスし、他の通信装置が所定の通信路を介して第２のメールサーバにアクセスする場合、第１の通信手段は、他の通信装置から近接通信により送信されてくる、他の通信装置を識別する装置識別情報と、第２のメールサーバを識別するサーバ識別情報とをさらに受信し、第２の通信手段は、サーバ識別情報および装置識別情報を指定して、送信電文を第１のメールサーバにメールとして送信することにより、送信電文を他の通信装置に送信するようにさせることができる。
【００１２】
生成手段には、乱数を送信電文として生成させることができる。
【００１３】
移動体通信装置であるようにさせることができる。
【００１４】
本発明の通信方法は、第２の通信手段において、所定の通信路を介して、生成手段により生成された送信電文を他の通信装置に送信するとともに、他の通信装置から所定の通信路を介して送信されてくる他の送信電文を受信し、第１の通信手段において、他の通信装置から近接通信により送信されてくる電文を受信するとともに、第２の通信手段が受信した他の送信電文を他の通信装置に近接通信により送信し、制御手段において、第１の通信手段が受信した電文が、第２の通信手段が送信した送信電文と一致するかどうかを確認することを特徴とする。
【００１５】
本発明においては、第２の通信手段において、所定の通信路を介して、生成手段により生成された送信電文が他の通信装置に送信されるとともに、他の通信装置から所定の通信路を介して送信されてくる他の送信電文が受信される。また、第１の通信手段において、他の通信装置から近接通信により送信されてくる電文が受信されるとともに、第２の通信手段が受信した他の送信電文が他の通信装置に近接通信により送信される。さらに、制御手段において、第１の通信手段が受信した電文が、第２の通信手段が送信した送信電文と一致するかどうかを確認される。
【発明の効果】
【００１６】
本発明によれば、カードに重要情報を記憶させることにより生じる問題を解決することができる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１９】
請求項１に記載の通信システムは、
通信装置（例えば、図２の個人端末１１）と、前記通信装置と通信を行う他の通信装置（例えば、図２の店舗端末２１）とで構成される通信システム（例えば、図２の通信システム１）において、
前記通信装置は、
前記他の通信装置に対して送信する、１回だけ有効な送信電文を生成する生成手段（例えば、図２の乱数生成部４１）と、
近接通信により、前記他の通信装置と直接に通信を行う第１の通信手段（例えば、図２のNFC I/F４２）と、
所定の通信路を介して、前記他の通信装置と間接に通信を行う第２の通信手段（例えば、図２の通信部４４）と、
前記第１および第２の通信手段による通信を制御する制御手段（例えば、図２の制御部４６）と
を備え、
前記第２の通信手段は、前記所定の通信路を介して、前記生成手段により生成された前記送信電文を前記他の通信装置に送信するとともに、前記他の通信装置から前記所定の通信路を介して送信されてくる他の送信電文を受信し、
前記第１の通信手段は、前記他の通信装置から近接通信により送信されてくる電文を受信するとともに、前記第２の通信手段が受信した前記他の送信電文を前記他の通信装置に近接通信により送信し、
前記制御手段は、前記第１の通信手段が受信した前記電文が、前記第２の通信手段が送信した前記送信電文と一致するかどうかを確認する
ことを特徴とする。
【００２０】
請求項７に記載の通信方法は、
他の通信装置（例えば、図２の店舗端末２１）に対して送信する、１回だけ有効な送信電文を生成する生成手段（例えば、図２の乱数生成部４１）と、近接通信により、前記他の通信装置と直接に通信を行う第１の通信手段（例えば、図２のNFC I/F４２）と、所定の通信路を介して、前記他の通信装置と間接に通信を行う第２の通信手段（例えば、図２の通信部４４）と、前記第１および第２の通信手段による通信を制御する制御手段（例えば、図２の制御部４６）とを備え、前記他の通信装置との間で通信を行う通信装置（例えば、図２の個人端末１１）の通信方法において、
前記第２の通信手段において、前記所定の通信路を介して、前記生成手段により生成された前記送信電文を前記他の通信装置に送信する（例えば、図３のステップＳ１０５の処理）とともに、前記他の通信装置から前記所定の通信路を介して送信されてくる他の送信電文を受信し（例えば、図３のステップＳ１０６の処理）、
前記第１の通信手段において、前記他の通信装置から近接通信により送信されてくる電文を受信する（例えば、図３のステップＳ１０８の処理）とともに、前記第２の通信手段が受信した前記他の送信電文を前記他の通信装置に近接通信により送信し（例えば、図３のステップＳ１０７の処理）、
前記制御手段において、前記第１の通信手段が受信した前記電文が、前記第２の通信手段が送信した前記送信電文と一致するかどうかを確認する（例えば、図３のステップＳ１０９の処理）
ことを特徴とする。
【００２１】
以下、図を参照して、本発明の実施の形態について説明する。
【００２２】
図１は、本発明を適用した通信システム（システムとは、複数の装置が論理的に結合したものをいい、各構成の装置が同一筐体中にあるか否かは問わない）の一実施の形態の構成例を示している。
【００２３】
図１の通信システム１は、メール（ショートメッセージ（SMS : Short Message Service））サービスを用いたバリューの与信決済サービスを提供するシステムである。
【００２４】
ここで、与信決済サービスとは、例えば、物品の購入者であるユーザ（顧客）と物品の販売者である店舗とが互いの信用（信憑性）を確認し、バリューを用いて物品の購入等の決済を行うサービスのことを意味する。従って、ユーザは、充填（チャージ）されたバリューの範囲内で、バリューと交換に物品を購入することができる。また、本実施の形態では、バリューは、電子マネーであるものとする。
【００２５】
顧客であるユーザＸが所有する、携帯電話機やPDA (Personal Digital Assistant)などの個人端末（移動体通信装置）１１は、基地局１２および電話網１３を介して、ユーザＸが契約している通信事業者Ｂのメール（転送）サーバ１４にアクセスし、通信（メールの送受信）を行うことができる。
【００２６】
通信事業者Ｂは、契約しているユーザに対して、メール（ショートメッセージ）サービスを提供する。即ち、通信事業者Ｂのメールサーバ１４（以下、適宜、通信事業者Ｂサーバ１４とも称する）は、通信事業者Ｂと契約しているユーザ（の端末）からのメール（ショートメッセージ）を指定された宛先に送信（転送）する。
【００２７】
ユーザＸは、通信事業者Ｂまたは銀行Ｄとの間で、それぞれ、メール転送サービス契約、または、銀行ＤのユーザＸ名義の口座（電子マネーの口座）に対して、口座残高の確認や所定金額の振り込み依頼をメールで行うことが可能な契約を結んでいる。
【００２８】
従って、例えば、通信事業者Ｂのメールサーバ１４が、個人端末１１から所定金額の（電子マネーの）振り込みを依頼するメールを受信した場合、メールサーバ１４は、銀行Ｄの預金口座サーバ１５（以下、適宜、預金口座Ｄサーバ１５と称する）に対して、所定金額の振り込みを指示するメール（指示メッセージ）を送信する。
【００２９】
また例えば、通信事業者Ｂのメールサーバ１４が、個人端末１１からのメールを他の通信事業者Ａと契約している店舗Ｙの店舗端末２１に転送するメールを受信した場合、メールサーバ１４は、受信したメールを他の通信事業者Ａのメールサーバ２３に送信（転送）する。また、メールサーバ１４は、通信事業者Ａのメールサーバ２３から個人端末１１宛てのメールを受信した場合、その受信したメールを個人端末１１に送信（転送）する。
【００３０】
なお、通信事業者Ｂは、契約している顧客（ユーザＸの携帯端末１１）に対して、顧客を識別するユニークなID（Identification：識別番号）もしくは通信接続番号と、通信事業者Ｂを識別するIDとを提供する。ここで、ユーザＸに提供されたIDを個人端末IDとし、通信事業者Ｂを識別するIDを通信事業者IDBとする。
【００３１】
また、通信事業者Ｂのメールサーバ１４には、通信事業者ＢがユーザＸに提供した個人端末IDと、ユーザＸのメールアドレスおよびユーザＸが有する銀行Ｄの預金口座に関する情報とが、１対１で対応して記憶されている。
【００３２】
銀行Ｄの預金口座サーバ１５は、通信事業者Ｂのメールサーバ１４からのメールによる依頼に基づき、口座残高の確認や所定金額の振り込みの実行を行う。
【００３３】
例えば、銀行Ｄの預金口座サーバ１５が、ユーザＸの口座残高の確認を指示するメールを、通信事業者Ｂのメールサーバ１４から受信した場合、預金口座サーバ１５は、ユーザＸの口座残高をメールサーバ１４に送信（返信）する。
【００３４】
また例えば、銀行Ｄの預金口座サーバ１５が、ユーザＸの口座から、銀行Ｃにある、後述する店舗Ｙの口座に、所定金額を振り込むメールを、通信事業者Ｂのメールサーバ１４から受信した場合、預金口座サーバ１５は、所定金額を銀行Ｃの預金口座サーバ２４に振り込む。
【００３５】
また、個人端末１１は、NFC通信機能を有しており、他のNFC通信装置（例えば、NFC通信装置２１ａ）と、単一の周波数の搬送波を使用した、電磁誘導による近接通信（NFC(Near Field Communication)）を行うことができるようになっている。
【００３６】
ここで、個人端末１１およびNFC通信装置２１ａが使用する搬送波の周波数としては、例えば、ISM(Industrial Scientific Medical)バンドの13.56MHzなどを採用することができる。
【００３７】
また、近接通信とは、通信する装置どうしの距離が、数10cm以内となって可能となる通信を意味し、通信する装置どうし（の筐体）が接触して行う通信も含まれる。
【００３８】
ユーザＸは、NFC通信装置２１ａを備える店舗Ｙにおいて、現金を支払って電子マネーを充填（チャージ）したり、電子マネーで物品を購入することができる。
【００３９】
この場合、個人端末１１は、店舗Ｙの店舗端末２１に接続されているNFC通信装置２１ａと近接通信を行い、電子マネーの取引に必要なデータを送受信する。
【００４０】
店舗Ｙの店舗端末２１は、NFC通信装置２１ａで受信したデータをインターネット２２を介して、店舗Ｙが契約している通信事業者Ａのメール（転送）サーバ２３に送信する。
【００４１】
通信事業者Ａは、契約しているユーザに対して、メール（ショートメッセージ）サービスを提供する。即ち、通信事業者Ａのメールサーバ２３（以下、適宜、通信事業者Ａサーバ２３とも称する）は、通信事業者Ａと契約しているユーザからのメール（ショートメッセージ）を指定された宛先に送信（転送）する。
【００４２】
店舗Ｙは、通信事業者Ａまたは銀行Ｃとの間で、それぞれ、メール転送サービス契約、または、店舗Ｙが口座を所有する銀行Ｃの店舗Ｙ名義の銀行口座に対して、口座残高の確認や所定金額の振り込み依頼をメールで行うことが可能な契約を結んでいる。
【００４３】
なお、通信事業者Ａは、通信事業者Ｂと同様に、契約している顧客（店舗Ｙの店舗端末２１）に対して、顧客を識別するユニークなIDもしくは通信接続番号と、通信事業者Ａを識別するIDとを提供する。ここで、店舗Ｙに提供されたIDを店舗端末IDとし、通信事業者Ａを識別するIDを通信事業者IDAとする。
【００４４】
また、通信事業者Ａのメールサーバ２３には、通信事業者Ａが店舗Ｙに提供した店舗端末IDと、店舗Ｙのメールアドレスおよび店舗Ｙが有する銀行Ｃの預金口座に関する情報とが、１対１で対応して記憶されている。
【００４５】
銀行Ｃの預金口座サーバ２４（以下、適宜、預金口座Ｃサーバ２４と称する）は、銀行Ｄの預金口座サーバ１５と同様に、通信事業者Ａのメールサーバ２３からのメールによる依頼に基づき、口座残高の確認や所定金額の振り込みを実行する。
【００４６】
図２は、個人端末１１および店舗端末２１の詳細な構成例を含む図１の通信システム１のブロック図である。なお、図２において、図１と対応する部分については、同一の符号を付してあり、その重複する説明を適宜省略する。
【００４７】
ユーザＸの個人端末１１は、乱数生成部４１、NFC I/F(Inter Face)４２、データ入力表示部４３、通信部４４、メモリ４５、および制御部４６により構成されている。
【００４８】
乱数生成部４１は、必要に応じて所定の乱数Ｒxを生成し、NFC I/F４２に供給する。
【００４９】
NFC I/F４２は、店舗端末２１のNFC I/F５２との間で、近接通信により、直接にデータをやりとりする。
【００５０】
NFC I/F４２からNFC I/F５２に送信するデータとしては、例えば、ユーザＸの携帯端末１１を識別する個人端末ID、携帯端末１１がアクセスする通信事業者Ｂ（のメールサーバ１４）を識別する通信事業者IDBなどがある。また、NFC I/F４２がNFC I/F５２から受信するデータとしては、例えば、店舗Ｙの店舗端末２１を識別する店舗端末ID、店舗端末２１がアクセスする通信事業者Ａ（のメールサーバ２３）を識別する通信事業者IDAなどがある。
【００５１】
ここで、店舗端末２１は、携帯端末１１にとっては近接通信する外部の端末であり、また、店舗端末２１から見れば、携帯端末１１は、自分（店舗端末２１）と近接通信する外部の端末である。従って、携帯端末１１を識別する個人端末IDおよび店舗端末２１を識別する店舗端末IDそれぞれは、自分が通信する外部の端末を識別する外部端末情報であるといえる。
【００５２】
また、NFC I/F４２は、乱数生成部４１から供給される乱数Ｒxを、店舗端末２１のNFC I/F５２から受信した店舗端末IDおよび通信事業者IDAとともに、通信部４４に供給する。
【００５３】
データ入力表示部４３は、例えば、数字キー、文字キー、キーボード、マウス、タッチパネルなどよりなる入力装置、およびLCD(Liquid Crystal display)などよりなる表示装置から構成され、ユーザＸによる指示メッセージの入力を受け付けたり、通信部４４から供給されるデータの表示などを行う。
【００５４】
また、データ入力表示部４３は、ユーザＸにより入力された指示メッセージを通信部４４に供給する。
【００５５】
ここで、指示メッセージとしては、物品を購入するための購入金額Ｍ'の振り込み指示（送金指示）などがあり、通信部４４から供給されるデータとしては、電子マネーの充填金額Ｍなどがある。
【００５６】
通信部４４は、NFC I/F４２またはデータ入力表示部４３から供給されるデータ（乱数Ｒxや指示メッセージなど）を、電話網１３などを介して通信事業者Ｂサーバ１４にメールとして送信する。また、通信部４４は、メールとして通信事業者Ｂサーバ１４から受信したデータをNFC I/F４２またはデータ入力表示部４３に供給する。
【００５７】
メモリ４５は、通信部４４が通信事業者Ｂサーバ１４との間で通信したデータ（通信内容）を一定期間記憶する。また、メモリ４５は、通信事業者Ｂから提供された個人端末IDと通信事業者IDBも記憶する。
【００５８】
制御部４６は、例えば、CPU（Central Processing Unit）などにより構成され、個人端末１１内の各部を制御する。例えば、制御部４６は、NFC I/F４２または通信部４４による通信を制御する。
【００５９】
店舗Ｙの店舗端末２１は、乱数生成部５１、NFC I/F(Inter Face)５２、データ入力表示部５３、通信部５４、メモリ５５、および制御部５６により構成されている。なお、図１の店舗端末２１に接続されているNFC通信装置２１ａは、図２のNFC I/F５２に対応する。
【００６０】
乱数生成部５１は、必要に応じて所定の乱数ＲYを生成し、NFC I/F５２に供給する。
【００６１】
NFC I/F５２は、個人端末１１のNFC I/F４２との間で、近接通信により、直接にデータをやりとりする。
【００６２】
NFC I/F５２からNFC I/F４２に送信するデータとしては、上述したように、例えば、店舗Ｙの店舗端末２１を識別する店舗端末ID、店舗端末２１がアクセスする通信事業者Ａ（のメールサーバ２３）を識別する通信事業者IDAなどがある。また、NFC I/F５２がNFC I/F４２から受信するデータとしては、例えば、ユーザＸの携帯端末１１を識別する個人端末ID、携帯端末１１がアクセスする通信事業者Ｂ（のメールサーバ１４）を識別する通信事業者IDBなどがある。
【００６３】
また、NFC I/F５２は、乱数生成部５１から供給される乱数ＲYを、個人端末１１のNFC I/F４２から受信した個人端末IDおよび通信事業者IDBとともに、通信部５４に供給する。
【００６４】
データ入力表示部５３は、例えば、数字キー、文字キー、キーボード、マウス、タッチパネルなどよりなる入力装置、およびLCD(Liquid Crystal display)などよりなる表示装置から構成され、店舗端末２１を操作する店舗Ｙの店員による指示メッセージの入力を受け付けたり、通信部５４から供給されるデータの表示などを行う。
【００６５】
また、データ入力表示部５３は、店員により入力された指示メッセージを通信部５４に供給する。
【００６６】
ここで、指示メッセージとしては、電子マネーの充填金額Ｍの振り込み指示などがあり、通信部５４から供給されるデータとしては、物品を購入するための購入金額Ｍ'などがある。
【００６７】
通信部５４は、NFC I/F５２またはデータ入力表示部５３から供給されるデータ（乱数ＲYや指示メッセージなど）を、インターネット２２を介して通信事業者Ａサーバ２３にメールとして送信する。また、通信部５４は、メールとして通信事業者Ａサーバ２３から受信したデータをNFC I/F５２またはデータ入力表示部５３に供給する。
【００６８】
メモリ５５は、通信部５４が通信事業者Ａサーバ２３との間で通信したデータ（通信内容）を一定期間記憶する。また、メモリ５５は、通信事業者Ａから提供された店舗端末IDと通信事業者IDAも記憶する。
【００６９】
制御部５６は、例えば、CPU（Central Processing Unit）などにより構成され、店舗端末２１内の各部を制御する。例えば、制御部５６は、NFC I/F５２または通信部５４による通信を制御する。
【００７０】
次に、ユーザＸが、銀行ＤのユーザＸ名義の銀行口座に、金額Ｍの電子マネーを充填する場合の、図２の各ブロックの動作について説明する。
【００７１】
ユーザＸが、所有する個人端末１１を店舗Ｙの店舗端末２１（のNFC通信装置２１a）にかざすと、NFC I/F４２とNFC I/F５２との間で、端末IDおよび通信事業者情報（２つを合わせて交換情報と称する）を交換する通信（近接通信）が行われる。
【００７２】
即ち、NFC I/F４２は、個人端末IDおよび通信事業者IDBをNFC I/F５２に送信する。また、NFC I/F５２は、店舗端末IDおよび通信事業者IDAをNFC I/F４２に送信する。
【００７３】
そして、店舗端末２１のNFC I/F５２は、乱数生成部５１から供給される乱数ＲYと、近接通信により個人端末１１から受信した個人端末IDおよび通信事業者IDBとを通信部５４に供給する。
【００７４】
また、店員は、充填する電子マネーの金額Ｍ（以下、充填金額Ｍと称する）をユーザＸから聞き、その金額Ｍをデータ入力表示部５３において入力する。
【００７５】
データ入力表示部５３は、入力された充填金額Ｍを取得し、通信部５４に供給する。
【００７６】
通信部５４は、個人端末IDおよび通信事業者IDBを送信先として指定して、NFC I/F５２からの乱数ＲYとデータ入力表示部５３からの充填金額Ｍとを、インターネット２２を介して通信事業者Ａサーバ２３にメールとして送信する。
【００７７】
通信事業者Ａサーバ２３は、預金口座Ｃサーバ２４に対して、店舗Ｙの口座残高の確認を行い、充填金額Ｍを送金するのに十分な金額（残高）が店舗Ｙの口座にあるかどうかを確認する。そして、充填金額Ｍを送金するのに十分な金額が確認された後、通信事業者Ａサーバ２３は、預金口座Ｃサーバ２４に対して、充填金額Ｍの送金予約を行う。
【００７８】
また、通信事業者Ａサーバ２３は、個人端末IDを送信先として指定して、送金予約の予約結果を表す送金予約情報（振り込み保証情報）および乱数ＲYを、通信事業者IDBで識別される通信事業者Ｂサーバ１４にメールとして送信する。
【００７９】
通信事業者Ｂサーバ１４は、通信事業者Ａサーバ２３からの送金予約情報から、店舗端末２１からの送金金額（充填金額Ｍ）を内部に記憶する。また、通信事業者Ｂサーバ１４は、通信事業者Ａサーバ２３からの送金予約情報および乱数ＲYを、電話網１３などを介して、個人端末IDで識別される個人端末１１の通信部４４にメールとして送信する。
【００８０】
通信部４４は、通信事業者Ａサーバ２３から送信されてくる送金予約情報および乱数ＲYのうち、送金予約情報をデータ入力表示部４３に供給し、乱数ＲYをNFC I/F４２に供給する。
【００８１】
データ入力表示部４３は、通信部４４からの送金予約情報に基づいて、充填金額Ｍを確認する表示を行う。
【００８２】
一方、近接通信により、店舗端末IDおよび通信事業者IDAを受信した個人端末１１のNFC I/F４２は、それを、乱数生成部４１から供給される乱数Ｒxとともに、通信部４４に供給する。
【００８３】
通信部４４は、店舗端末IDおよび通信事業者IDAを送信先として指定して、NFC I/F４２からの乱数Ｒxを、電話網１３などを介して通信事業者Ｂサーバ１４に供給する。通信事業者Ｂサーバ１４は、店舗端末IDを送信先として指定して、個人端末１１（の通信部４４）からの乱数Ｒxを、通信事業者IDAで識別される通信事業者Ａサーバ２３にメールとして送信する。
【００８４】
通信事業者Ａサーバ２３は、通信事業者Ｂサーバ１４からの乱数Ｒxを、店舗端末IDで識別される店舗端末２１（の通信部５４）にインターネット２２を介して送信する。店舗端末２１の通信部５４は、通信事業者Ａサーバ２３からの乱数ＲxをNFC I/F５２に送信する。
【００８５】
ユーザは、個人端末１１のデータ入力表示部４３に表示された充填金額Ｍを確認し、再度、個人端末１１を店舗Ｙの店舗端末２１（のNFC通信装置２１a）にかざす。
【００８６】
これにより、NFC I/F４２とNFC I/F５２との間で通信（近接通信）が行われ、NFC I/F４２は、通信部４４からの乱数ＲYをNFC I/F５２に送信し、NFC I/F５２は、通信部５４からの乱数ＲxをNFC I/F４２に送信する。即ち、NFC I/F４２およびNFC I/F５２は、乱数Ｒxと乱数ＲYを交換する。
【００８７】
個人端末１１の制御部４６は、NFC I/F４２が店舗端末２１（のNFC I/F５２）から受信した乱数（乱数Ｒx）と、乱数生成部４１で生成し、通信部４４から店舗端末２１宛てに送信した乱数Ｒxとが一致するかどうかを判定する。そして、乱数Ｒxが一致する場合、制御部４６は、データ入力表示部４３にその旨を表示させる。また、個人端末１１にブザー等を出力する音声出力部を設け、乱数Ｒxが一致した場合にブザーを鳴らすことでユーザにその旨を報知するようにしてもよい。
【００８８】
また、店舗端末２１の制御部５６は、NFC I/F５２が個人端末１１（のNFC I/F４２）から受信した乱数（乱数ＲY）と、乱数生成部５１で生成し、通信部５４から個人端末１１宛てに送信した乱数ＲYとが一致するかどうかを判定する。そして、乱数ＲYが一致する場合、制御部５６は、データ入力表示部５３にその旨を表示させる。また、店舗端末２１にブザー等を出力する音声出力部を設け、乱数ＲYが一致した場合にブザーを鳴らすことでユーザにその旨を報知するようにしてもよい。
【００８９】
データ入力表示部４３の乱数Ｒxの一致の表示を確認したユーザＸは、充填金額Ｍの現金を店員に渡す。
【００９０】
充填金額Ｍの現金を受け取った店員は、データ入力表示部５３において充填金額Ｍの送金（振り込み）を指示する入力を行う。
【００９１】
データ入力表示部５３は、充填金額Ｍの送金を指示する送金指示情報を取得し、通信部５４に供給する。通信部５４は、その送金指示情報（指示メッセージ）を、インターネット２２を介して通信事業者Ａサーバ２３にメールとして送信し、通信事業者Ａサーバ２３は、送金指示情報を預金口座Ｃサーバ２４に送信する。
【００９２】
預金口座Ｃサーバ２４は、通信事業者Ａサーバ２３からの送金指示情報にしたがい、充填金額Ｍを店舗Ｙの口座から預金口座Ｄサーバ１５のユーザＸの口座に送金する。
【００９３】
なお、ユーザＸの口座（振り込みしてもらう口座）は、例えば、通信事業者Ａサーバ２３が通信事業者Ｂサーバ１４に充填金額Ｍの送金予約情報を送信した際に、通信事業者Ｂサーバ１４から取得する（返信してもらう）ようになされている。また、以前にユーザＸと取引したことがある場合には、その取引履歴からユーザＸの口座を特定するようにしてもよい。
【００９４】
預金口座Ｄサーバ１５は、預金口座Ｃサーバ２４からの送金を受け取り、充填金額Ｍの電子マネーをユーザＸの口座に充填する（口座残高を加算する）。
【００９５】
また、預金口座Ｄサーバ１５は、充填金額Ｍが正しくユーザＸの口座に充填されたことを表す充填記録情報のメールを、通信事業者Ｂサーバ１４および電話網１３などを介して個人端末１１に送信し、個人端末１１のデータ入力表示部４３において、その旨が表示される。
【００９６】
さらに、預金口座Ｄサーバ１５は、充填金額Ｍの送金を確実に受け取ったことを表す送金記録情報のメールを預金口座Ｃサーバ２４に送信し、預金口座Ｃサーバ２４は、そのメールを、通信事業者Ａサーバ２３およびインターネット２２などを介して店舗端末２１に送信する。店舗端末２１のデータ入力表示部５３では、預金口座Ｃサーバ２４からの送金記録情報に基づいて、充填金額Ｍの電子マネーの送金結果（送金指示の結果）が表示される。
【００９７】
次に、ユーザＸが銀行Ｄにある自分の口座の電子マネーを使って、店舗Ｙにある金額Ｍ'の物品を購入する場合の、図２の各ブロックの動作について説明する。
【００９８】
ユーザＸは、購入する物品の金額Ｍ'（以下、購入金額Ｍ'と称する）を個人端末１１のデータ入力表示部４３において入力する。データ入力表示部４３は、ユーザＸにより入力された購入金額Ｍ'を取得し、通信部４４に供給する。
【００９９】
また、ユーザＸは、個人端末１１を店舗Ｙの店舗端末２１（のNFC通信装置２１a）にかざす。これにより、電子マネーを充填する場合と同様に、NFC I/F４２とNFC I/F５２との間で、端末IDおよび通信事業者情報（交換情報）を交換する通信（近接通信）が行われる。
【０１００】
そして、店舗端末２１のNFC I/F５２は、乱数生成部５１から供給される乱数ＲYと、近接通信により個人端末１１から受信した個人端末IDおよび通信事業者IDBとを通信部５４に供給する。
【０１０１】
通信部５４は、個人端末IDおよび通信事業者IDBを送信先として指定して、NFC I/F５２からの乱数ＲYを、インターネット２２を介して通信事業者Ａサーバ２３にメールとして送信する。
【０１０２】
通信事業者Ａサーバ２３は、個人端末IDを送信先として指定して、店舗端末２１からの乱数ＲYを、通信事業者IDBで識別される通信事業者Ｂサーバ１４にメールとして送信する。通信事業者Ｂサーバ１４は、通信事業者Ａサーバ２３からの乱数ＲYを、電話網１３などを介して、個人端末IDで識別される個人端末１１の通信部４４にメールとして送信する。
【０１０３】
通信部４４は、通信事業者Ｂサーバ１４からの乱数ＲYをNFC I/F４２に供給する。
【０１０４】
一方、近接通信により、店舗端末２１から店舗端末IDおよび通信事業者IDAを受信した個人端末１１のNFC I/F４２は、それを、乱数生成部４１から供給される乱数Ｒxとともに、通信部４４に供給する。
【０１０５】
通信部４４は、店舗端末IDおよび通信事業者IDAを送信先として指定して、NFC I/F４２からの乱数Ｒxを、データ入力表示部４３からの購入金額Ｍ'とともに、電話網１３などを介して通信事業者Ｂサーバ１４にメールとして送信する。
【０１０６】
通信事業者Ｂサーバ１４は、預金口座Ｄサーバ１５に対して、個人Ｘの口座残高の確認を行い、購入金額Ｍ'を送信する（支払う）のに十分な金額（残高）が個人Ｘの口座にあるかどうかを確認する。そして、購入金額Ｍ'を送信するのに十分な金額が確認された後、通信事業者Ｂサーバ１４は、預金口座Ｄサーバ１５に対して、購入金額Ｍ'の送金予約を行う。
【０１０７】
また、通信事業者Ｂサーバ１４は、店舗端末IDを送信先として指定して、送金予約の予約結果を表す送金予約情報（振り込み保証情報）および乱数Ｒxを、通信事業者IDAで識別される通信事業者Ａサーバ２３にメールとして送信する。
【０１０８】
通信事業者Ａサーバ２３は、通信事業者Ｂサーバ１４からの送金予約情報から、送金金額（購入金額Ｍ'）を内部に記憶する。また、通信事業者Ａサーバ２３は、通信事業者Ｂサーバ１４からの送金予約情報および乱数Ｒxを、インターネット２２を介して、店舗端末IDで識別される店舗端末２１の通信部５４にメールとして送信する。
【０１０９】
通信部５４は、通信事業者Ａサーバ２３から送信されてくる送金予約情報および乱数ＲXのうち、送金予約情報をデータ入力表示部５３に供給し、乱数ＲXをNFC I/F５２に供給する。
【０１１０】
データ入力表示部５３は、通信部５４からの送金予約情報に基づいて、購入金額Ｍ'を確認する表示を行う。
【０１１１】
店員は、データ入力表示部５３に表示された購入金額Ｍ'を確認し、再度、個人端末１１を店舗Ｙの店舗端末２１（のNFC通信装置２１a）にかざすようにユーザＸに依頼する。
【０１１２】
店員の依頼に応じて、ユーザＸが個人端末１１を店舗端末２１（のNFC通信装置２１a）にかざすと、NFC I/F４２とNFC I/F５２との間で通信（近接通信）が行われ、NFC I/F４２は、通信部４４からの乱数ＲYをNFC I/F５２に送信し、NFC I/F５２は、通信部５４からの乱数ＲxをNFC I/F４２に送信する。即ち、NFC I/F４２およびNFC I/F５２は、乱数Ｒxと乱数ＲYを交換する。
【０１１３】
個人端末１１の制御部４６は、NFC I/F４２が店舗端末２１（のNFC I/F５２）から受信した乱数（乱数Ｒx）と、乱数生成部４１で生成し、通信部４４から店舗端末２１宛てに送信した乱数Ｒxとが一致するかどうかを判定する。そして、乱数Ｒxが一致する場合、制御部４６は、データ入力表示部４３にその旨を表示させる。また、個人端末１１にブザー等を出力する音声出力部を設け、乱数Ｒxが一致した場合にブザーを鳴らすことでユーザにその旨を報知するようにしてもよい。
【０１１４】
また、店舗端末２１の制御部５６は、NFC I/F５２が個人端末１１（のNFC I/F４２）から受信した乱数（乱数ＲY）と、乱数生成部５１で生成し、通信部５４から個人端末１１宛てに送信した乱数ＲYとが一致するかどうかを判定する。そして、乱数ＲYが一致する場合、制御部５６は、データ入力表示部５３にその旨を表示させる。また、店舗端末２１にブザー等を出力する音声出力部を設け、乱数ＲYが一致した場合にブザーを鳴らすことでユーザにその旨を報知するようにしてもよい。
【０１１５】
データ入力表示部４３に表示された乱数Ｒxの一致を確認したユーザＸは、データ入力表示部４３において購入金額Ｍ'の送金（振り込み）を指示する入力を行う。
【０１１６】
データ入力表示部４３は、購入金額Ｍ'の送金を指示する送金指示を取得し、通信部４４に供給する。通信部４４は、その送金指示情報（指示メッセージ）を、電話網１３などを介して通信事業者Ｂサーバ１４にメールとして送信し、通信事業者Ｂサーバ１４は、そのメールを預金口座Ｄサーバ１５に送信する。
【０１１７】
預金口座Ｄサーバ１５は、通信事業者Ｂサーバ１４からの送金指示情報にしたがい、購入金額Ｍ'をユーザＸの口座から預金口座Ｃサーバ２４の店舗Ｙの口座に送金する。
【０１１８】
ここで、店舗Ｙの口座（振り込みしてもらう口座）は、例えば、通信事業者Ｂサーバ１４が通信事業者Ａサーバ２３に購入金額Ｍ'の送金予約情報を送信した際に、通信事業者Ａサーバ２３から取得する（返信してもらう）ようになされている。また、以前に店舗Ｙと取引したことがある場合には、その取引履歴から店舗Ｙの口座を特定するようにしてもよい。
【０１１９】
預金口座Ｃサーバ２４は、預金口座Ｄサーバ１５からの送金を受け取り、購入金額Ｍ'の電子マネーを店舗Ｙの口座に充填する（口座残高を加算する）。
【０１２０】
また、預金口座Ｃサーバ２４は、購入金額Ｍ'が正しく店舗Ｙの口座に充填されたことを表す充填記録情報のメールを、通信事業者Ａサーバ２３およびインターネット２２を介して、店舗端末２１に送信し、店舗端末２１のデータ入力表示部５３において、その旨が表示される。
【０１２１】
さらに、預金口座Ｃサーバ２４は、購入金額Ｍ'の送金を確実に受け取ったことを表す送金記録情報のメールを預金口座Ｄサーバ１５に送信し、預金口座Ｄサーバ１５は、そのメールを、通信事業者Ｂサーバ１４および電話網１３などを介して個人端末１１に送信する。個人端末１１のデータ入力表示部４３では、預金口座Ｄサーバ１５からの送金記録情報に基づいて、購入金額Ｍ'の電子マネーの消費結果（送金指示の結果）が表示される。
【０１２２】
以上のように構成される通信システム１では、個人端末１１の乱数生成部４１が、１回だけ有効な送信電文としての乱数ＲXを生成する。そして、通信部４４は、所定の通信路（電話網１３やインターネット２２など）を介して、乱数ＲXを店舗端末２１に送信するとともに、店舗端末２１から所定の通信路を介して送信されてくる乱数ＲYを受信する。NFC I/F４２は、店舗端末２１のNFC I/F５２から近接通信により送信されてくる乱数（電文）を受信するとともに、通信部４４が受信した乱数ＲYを店舗端末２１（のNFC I/F５２）に近接通信により送信する。制御部４６は、NFC I/F４２が受信した乱数が、通信部４４が所定の通信路を介して送信した乱数ＲXと一致するかどうかを確認する。
【０１２３】
店舗端末２１の乱数生成部５１が、１回だけ有効な送信電文としての乱数ＲYを生成する。そして、通信部５４は、所定の通信路（電話網１３やインターネット２２など）を介して、乱数ＲYを個人端末１１に送信するとともに、個人端末１１から所定の通信路を介して送信されてくる乱数ＲXを受信する。NFC I/F５２は、個人端末１１のNFC I/F４２から近接通信により送信されてくる乱数（電文）を受信するとともに、通信部５４が受信した乱数ＲXを個人端末１１（のNFC I/F４２）に近接通信により送信する。制御部５６は、NFC I/F５２が受信した乱数が、通信部５４が所定の通信路を介して送信した乱数ＲYと一致するかどうかを確認する。
【０１２４】
即ち、個人端末１１および店舗端末２１それぞれは、所定の通信路を介して間接的に送信電文を送信し、近接通信により直接に受信した電文が、間接的に送信した送信電文と一致するかどうかを確認する。
【０１２５】
なお、上述した例では、自分（ユーザＸまたは店舗Ｙ）がメールサービスを利用している通信事業者から提供されるユニークな端末IDと、通信事業者に登録する預金口座に関する情報およびメールアドレスとが、１対１に対応するものとしたが、自分が相手に振り込みしてもらう口座（振り込み口座）と、自分が他の口座に振り込みを行う場合に電子マネーを送金（出金）する口座（送金口座）とを分けるようにしてもよい。また、通信事業者から提供されるユニークな端末IDを、一時的なものとして定期的に変更するようにしてもよい。
【０１２６】
この場合、相手に対する自分の匿名性を強化することができる。さらに、振り込み口座を定期的に変更するようにすれば、より匿名性を強化することができる。これにより、自分がメールサービスを利用している通信事業者のメールアドレスに対する迷惑メール（いたずらメール）なども防止（削減）することができる。
【０１２７】
このように、第三者（通信事業者）を仲介することにより、個人端末１１や店舗端末２１を使用している本人を直接的に特定することを困難にすることができる。
【０１２８】
図３と図４は、図２の通信システム１における、金額Ｍの電子マネーを、銀行ＤのユーザＸ名義の銀行口座に充填する充填処理を説明するフローチャートである。
【０１２９】
初めに、通信事業者Ｂサーバ１４は、ステップＳ２１において、各種の契約を結んでいるユーザＸの個人端末１１に対して、個人端末１１を識別する個人端末IDと、通信事業者Ｂを識別する通信事業者IDBとを送信し、個人端末１１の通信部４４が、ステップＳ１において、これを受信し、メモリ４５に記憶させる。
【０１３０】
通信事業者Ａサーバ２３は、ステップＳ８１において、各種の契約を結んでいる店舗Ｙの店舗端末２１に対して、店舗端末２１を識別する店舗端末IDと、通信事業者Ａを識別する通信事業者IDAとを送信し、店舗端末２１の通信部５４が、ステップＳ１０１において、これを受信し、メモリ５５に記憶させる。
【０１３１】
なお、上述したステップの処理は、ユーザＸまたは店舗Ｙそれぞれが、通信事業者Ｂまたは通信事業者Ａと各種の契約をした時点に（予め）行われる。
【０１３２】
ユーザＸが、金額Ｍの電子マネーを充填するために、店舗Ｙの店舗端末２１（のNFC通信装置２１ａ）に個人端末１１をかざすと、個人端末１１は、ステップＳ２において、個人端末IDおよび通信事業者IDBを店舗端末２１に近接通信により送信し、店舗端末２１は、ステップＳ１０２において、これを受信する。
【０１３３】
また、ステップＳ１０３において、店舗端末２１は、店舗端末IDおよび通信事業者IDAを個人端末１１に近接通信により送信し、個人端末１１は、ステップＳ３において、これを受信する。なお、ステップＳ２およびＳ１０２の処理と、ステップＳ１０３およびＳ３の処理は、どちらを先に行ってもよいし、同時に行うこともできる。
【０１３４】
店員が、充填金額Ｍを店舗端末２１において入力すると、店舗端末２１は、ステップＳ１０４において、充填金額Ｍを取得するとともに、乱数ＲYを生成する。
【０１３５】
そして、ステップＳ１０５において、店舗端末２１は、個人端末１１から近接通信により受信した個人端末IDおよび通信事業者IDBを送信先として指定して、生成された乱数ＲY、および、店員により入力された充填金額Ｍを、インターネット２２を介して通信事業者Ａサーバ２３にメールとして送信する。
【０１３６】
通信事業者Ａサーバ２３は、ステップＳ８２において、個人端末IDおよび通信事業者IDBを宛先とする、店舗端末２１からの乱数ＲYおよび充填金額Ｍを含むメールを受信する。そして、ステップＳ８３において、通信事業者Ａサーバ２３は、預金口座Ｃサーバ２４に対して、店舗Ｙの口座残高の確認を行い、充填金額Ｍを送金するのに十分な金額（残高）が店舗Ｙの口座にあるかどうかを確認する。また、ステップＳ８３において、通信事業者Ａサーバ２３は、預金口座Ｃサーバ２４に対して、充填金額Ｍの送金予約を行う。
【０１３７】
預金口座Ｃサーバ２４は、ステップＳ６１において、通信事業者Ａサーバ２３からの充填金額Ｍの送金予約を受け付け、ステップＳ６２に進み、充填金額Ｍの送金予約がなされたことを表す送金予約情報を、通信事業者Ａサーバ２３にメールとして送信する。
【０１３８】
通信事業者Ａサーバ２３は、ステップＳ８４において、預金口座Ｃサーバ２４からの送金予約情報のメールを受信し、ステップＳ８５に進み、その送金予約情報および乱数ＲYを、個人端末IDを送信先と指定して、通信事業者IDBで識別される通信事業者Ｂサーバ１４にメールとして送信する。
【０１３９】
通信事業者Ｂサーバ１４は、ステップＳ２２において、通信事業者Ａサーバ２３からの送金予約情報および乱数ＲYを含むメールを受信し、ステップＳ２３に進み、そのメールを、電話網１３などを介して個人端末IDで識別される個人端末１１に送信する。
【０１４０】
個人端末１１は、ステップＳ４において、通信事業者Ｂサーバ１４からの送金予約情報および乱数ＲYを含むメールを受信し、ステップＳ５に進み、その送金予約情報に基づいて、充填金額Ｍを確認する表示を行う。
【０１４１】
そして、ステップＳ６において、個人端末１１は、乱数Ｒxを生成し、ステップＳ７に進み、ステップＳ３で受信した店舗端末IDおよび通信事業者IDAを送信先として指定して、生成された乱数Ｒxを、インターネット２２を介して通信事業者Ｂサーバ１４にメールとして送信する。
【０１４２】
通信事業者Ｂサーバ１４は、ステップＳ２４において、個人端末１１からの乱数Ｒxを含むメールを受信し、ステップＳ２５に進み、そのメールを、店舗端末IDを送信先として指定して、通信事業者IDAで識別される通信事業者Ａサーバ２３に送信する。
【０１４３】
通信事業者Ａサーバ２３は、ステップＳ８６において、通信事業者Ｂサーバ１４からの乱数Ｒxを含むメールを受信し、ステップＳ８７に進み、そのメールを、店舗端末IDで識別される店舗端末２１にインターネット２２を介して送信する。
【０１４４】
店舗端末２１は、ステップＳ１０６において、通信事業者Ａサーバ２３からの乱数Ｒxを含むメールを受信する。
【０１４５】
ここで、上述したステップＳ１０４，Ｓ１０５，Ｓ８２，Ｓ８３，Ｓ６１，Ｓ６２，Ｓ８４，Ｓ８５，Ｓ２２，Ｓ２３，Ｓ４、およびＳ５の処理と、ステップＳ６，Ｓ７，Ｓ２４，Ｓ２５，Ｓ８６，Ｓ８７、およびＳ１０６の処理は、どちらを先に行ってもよいし、同時に行うこともできる。換言すれば、個人端末１１は、ステップＳ６の処理を、ステップＳ３の処理後に即座に実行することが可能である。
【０１４６】
ユーザは、ステップＳ５の処理により個人端末１１に表示された充填金額Ｍを確認し、再度、個人端末１１を店舗Ｙの店舗端末２１にかざす。
【０１４７】
これにより、個人端末１１と店舗端末２１との間で乱数Ｒxと乱数ＲYが交換される。即ち、店舗端末２１は、ステップＳ１０７において、乱数Ｒxを個人端末１１に近接通信により送信し、個人端末１１は、ステップＳ８において、これを受信する。また、個人端末１１は、ステップＳ９において、乱数ＲYを店舗端末２１に近接通信により送信し、店舗端末２１は、ステップＳ１０８において、これを受信する。ステップＳ１０７およびＳ８の処理とステップＳ９およびＳ１０８の処理は、どちらを先に行っても良いし、同時に行うこともできる。
【０１４８】
個人端末１１は、ステップＳ９の処理後、ステップＳ１０において、店舗端末２１から近接通信により受信した乱数（乱数Ｒx）と、自分（乱数生成部４１）で生成し、通信事業者Ｂを介して店舗端末２１宛てに送信した乱数Ｒxとが一致するかどうかを判定（確認）し、その結果を（データ入力表示部４３に）表示する。
【０１４９】
店舗端末２１は、ステップＳ１０８の処理後、ステップＳ１０９において、個人端末１１から近接通信により受信した乱数（乱数ＲY）と、自分（乱数生成部５１）で生成し、通信事業者Ａを介して個人端末１１宛てに送信した乱数ＲYとが一致するかどうかを判定（確認）し、その結果を（データ入力表示部５３に）表示する。
【０１５０】
個人端末１１（のデータ入力表示部４３）に表示された乱数Ｒxの一致を確認したユーザＸは、充填金額Ｍの現金を店員に渡す。そして、充填金額Ｍの現金を受け取った店員は、店舗端末２１において充填金額Ｍの送金（振り込み）を指示する入力を行う。
【０１５１】
店舗端末２１は、ステップＳ１１０において、店員の充填金額Ｍの送金指示の入力に応じて、充填金額Ｍの送金指示を取得して、ステップＳ１１１に進み、充填金額Ｍの送金指示を表す送金指示情報を含むメールを、インターネット２２を介して通信事業者Ａサーバ２３に送信する。
【０１５２】
通信事業者Ａサーバ２３は、ステップＳ８８において、店舗端末２１からの送金指示情報を含むメールを受信し、ステップＳ８９に進み、そのメールを預金口座Ｃサーバ２４に送信する。
【０１５３】
預金口座Ｃサーバ２４は、ステップＳ６３において、通信事業者Ａサーバ２３からの送金指示情報を含むメールを受信し、ステップＳ６４において、その送金指示情報にしたがい、充填金額Ｍを店舗Ｙの口座から預金口座Ｄサーバ１５のユーザＸの口座に送金する。
【０１５４】
預金口座Ｄサーバ１５は、ステップＳ４１において、預金口座Ｃサーバ２４からの充填金額Ｍの送金を受け付け、ステップＳ４２に進み、充填金額Ｍの電子マネーをユーザＸの口座に充填する。
【０１５５】
そして、ステップＳ４３において、預金口座Ｄサーバ１５は、充填金額Ｍが正しくユーザＸの口座に充填されたことを表す充填記録情報を含むメールを、通信事業者Ｂサーバ１４に送信する。
【０１５６】
通信事業者Ｂサーバ１４は、ステップＳ２６において、預金口座Ｄサーバ１５からの充填記録情報を含むメールを受信し、ステップＳ２７に進み、そのメールを、電話網１３などを介して個人端末１１に送信する。
【０１５７】
個人端末１１は、ステップＳ１１において、通信事業者Ｂサーバ１４からの充填記録情報を含むメールを受信し、ステップＳ１２において、その充填記録情報に基づいて、充填金額Ｍの電子マネーの充填結果（銀行ＤにおけるユーザＸの口座残高）を表示する。
【０１５８】
また、預金口座Ｄサーバ１５は、ステップＳ４３の処理後、ステップＳ４４において、充填金額Ｍの送金を受け取ったことを表す送金記録情報を含むメールを預金口座Ｃサーバ２４に送信する。
【０１５９】
預金口座Ｃサーバ２４は、ステップＳ６５において、預金口座Ｄサーバ１５からの送金記録情報を含むメールを受信し、ステップＳ６６に進み、そのメールを通信事業者Ａサーバ２３に送信する。
【０１６０】
通信事業者Ａサーバ２３は、ステップＳ９０において、預金口座Ｃサーバ２４からの送金記録情報を含むメールを受信し、ステップＳ９１に進み、そのメールを、インターネット２２を介して店舗端末２１に送信する。
【０１６１】
店舗端末２１は、ステップＳ１１２において、通信事業者Ａサーバ２３からの送金記録情報を含むメールを受信し、ステップＳ１１３に進み、その送金記録情報に基づいて、充填金額Ｍの電子マネーの送金結果（送金指示の結果）を表示する。
【０１６２】
次に、図５と図６のフローチャートを参照して、図２の通信システム１における、店舗Ｙにある金額Ｍ'の物品を購入する物品購入処理について説明する。
【０１６３】
初めに、通信事業者Ｂサーバ１４は、ステップＳ２２１において、各種の契約を結んでいるユーザＸの個人端末１１に対して、個人端末１１を識別する個人端末IDと、通信事業者Ｂを識別する通信事業者IDBとを送信し、個人端末１１の通信部４４が、ステップＳ２０１において、これを受信し、メモリ４５に記憶させる。
【０１６４】
通信事業者Ａサーバ２３は、ステップＳ２８１において、各種の契約を結んでいる店舗Ｙの店舗端末２１に対して、店舗端末２１を識別する店舗端末IDと、通信事業者Ａを識別する通信事業者IDAとを送信し、店舗端末２１の通信部５４が、ステップＳ３０１において、これを受信し、メモリ５５に記憶させる。
【０１６５】
なお、上述したステップの処理は、ユーザＸまたは店舗Ｙそれぞれが、通信事業者Ｂまたは通信事業者Ａと各種の契約をした時点に（予め）行われる。
【０１６６】
ユーザＸが、金額Ｍの物品を購入するために、店舗Ｙの店舗端末２１（のNFC通信装置２１ａ）に個人端末１１をかざすと、個人端末１１は、ステップＳ２０２において、個人端末IDおよび通信事業者IDBを店舗端末２１に近接通信により送信し、店舗端末２１は、ステップＳ３０２において、これを受信する。
【０１６７】
また、ステップＳ３０３において、店舗端末２１は、店舗端末IDおよび通信事業者IDAを個人端末１１に近接通信により送信し、個人端末１１は、ステップＳ２０３において、これを受信する。なお、ステップＳ２０２およびＳ３０２の処理と、ステップＳ３０３およびＳ２０３の処理は、どちらを先に行ってもよいし、同時に行うこともできる。
【０１６８】
店舗端末２１は、ステップＳ３０３の処理後、ステップＳ３０４において、乱数ＲYを生成し、ステップＳ３０５に進み、ステップＳ３０２で受信した個人端末IDおよび通信事業者IDBを送信先として指定して、生成された乱数ＲYを、インターネット２２を介して通信事業者Ａサーバ２３にメールとして送信する。
【０１６９】
通信事業者Ａサーバ２３は、ステップＳ２８２において、店舗端末２１からの乱数ＲYを含むメールを受信し、ステップＳ２８３に進み、そのメールを、個人端末IDを送信先として指定して、通信事業者IDBで識別される通信事業者Ｂサーバ１４に送信する。
【０１７０】
通信事業者Ｂサーバ１４は、ステップＳ２２２において、通信事業者Ａサーバ２３からの乱数ＲYを含むメールを受信し、ステップＳ２２３に進み、そのメールを、個人端末IDで識別される個人端末１１に電話網１３などを介して送信する。
【０１７１】
個人端末１１は、ステップＳ２０４において、通信事業者Ｂサーバ１４からの乱数ＲYを含むメールを受信する。
【０１７２】
ユーザＸは、購入する物品の金額Ｍ'を個人端末１１のデータ入力表示部４３において入力する。個人端末１１は、ステップＳ２０５において、ユーザＸにより入力された購入金額Ｍ'を取得するとともに、乱数Ｒxを生成する。
【０１７３】
そして、ステップＳ２０６において、個人端末１１は、店舗端末２１から近接通信により受信した店舗端末IDおよび通信事業者IDAを送信先として指定して、生成された乱数Ｒx、および、取得された購入金額Ｍ'を、電話網１３などを介して通信事業者Ｂサーバ１４にメールとして送信する。
【０１７４】
通信事業者Ｂサーバ１４は、ステップＳ２２４において、店舗端末IDおよび通信事業者IDAを宛先とする、個人端末１１からの乱数Ｒxおよび購入金額Ｍ'を含むメールを受信する。そして、ステップＳ２２５において、通信事業者Ｂサーバ１４は、預金口座Ｄサーバ１５に対して、個人Ｘの口座残高の確認を行い、購入金額Ｍ'を送信する（支払う）のに十分な金額（残高）が個人Ｘの口座にあるかどうかを確認する。また、ステップＳ２２５において、通信事業者Ｂサーバ１４は、預金口座Ｄサーバ１５に対して、購入金額Ｍ'の送金予約を行う。
【０１７５】
預金口座Ｄサーバ１５は、ステップＳ２４１において、通信事業者Ｂサーバ１４からの購入金額Ｍ'の送金予約を受け付け、ステップＳ２４２に進み、購入金額Ｍ'の送金予約がなされたことを表す送金予約情報を通信事業者Ｂサーバ１４にメールとして送信する。
【０１７６】
通信事業者Ｂサーバ１４は、ステップＳ２２６において、預金口座Ｄサーバ１５からの送金予約情報のメールを受信し、ステップＳ２２７に進み、その送金予約情報および乱数Ｒxを、店舗端末IDを送信先として指定して、通信事業者IDAで識別される通信事業者Ａサーバ２３にメールとして送信する。
【０１７７】
通信事業者Ａサーバ２３は、ステップＳ２８４において、通信事業者Ｂサーバ１４からの送金予約情報および乱数Ｒxを含むメールを受信し、ステップＳ２８５に進み、そのメールを、インターネット２２を介して店舗端末IDで識別される店舗端末２１に送信する。
【０１７８】
店舗端末２１は、ステップＳ３０６において、通信事業者Ａサーバ２３からの送金予約情報および乱数Ｒxを含むメールを受信し、ステップＳ３０７に進み、その送金予約情報に基づいて、購入金額Ｍ'を確認する表示を行う。
【０１７９】
ここで、上述したステップＳ３０４，Ｓ３０５，Ｓ２８２，Ｓ２８３，Ｓ２２２，Ｓ２２３、およびＳ２０４の処理と、ステップＳ２０５，Ｓ２０６，Ｓ２２４，Ｓ２２５，Ｓ２４１，Ｓ２４２，Ｓ２２６，Ｓ２２７，Ｓ２８４，Ｓ２８５，Ｓ３０６、およびＳ３０７の処理は、どちらを先に行ってもよいし、同時に行うこともできる。換言すれば、個人端末１１は、ステップＳ２０５の処理を、ステップＳ２０３の処理後に即座に実行することが可能である。
【０１８０】
なお、購入する物品の金額Ｍ'の入力は、店員が店舗端末２１のデータ入力表示部５３において入力するようにしてもよい。この場合、上述したステップＳ３０５において、購入金額Ｍ'が、店舗端末２１で生成された乱数ＲYとともに個人端末２１宛てに送信され、個人端末２１のデータ入力表示部４３で表示されてユーザＸにより確認される。
【０１８１】
店員は、店舗端末２１に表示された購入金額Ｍ'を確認し、再度、個人端末１１を店舗端末２１にかざすようにユーザＸに依頼する。
【０１８２】
店員の依頼に応じて、ユーザＸが個人端末１１を店舗端末２１（のNFC通信装置２１a）にかざすと、個人端末１１と店舗端末２１との間で乱数Ｒxと乱数ＲYが交換される。即ち、店舗端末２１は、ステップＳ３０８において、乱数Ｒxを個人端末１１に近接通信により送信し、個人端末１１は、ステップＳ２０７において、これを受信する。また、個人端末１１は、ステップＳ２０８において、乱数ＲYを店舗端末２１に近接通信により送信し、店舗端末２１は、ステップＳ３０９において、これを受信する。ステップＳ３０８およびＳ２０７の処理とステップＳ２０８およびＳ３０９の処理は、どちらを先に行っても良いし、同時に行うこともできる。
【０１８３】
個人端末１１は、ステップＳ２０８の処理後、ステップＳ２０９において、店舗端末２１から近接通信により受信した乱数（乱数Ｒx）と、自分（乱数生成部４１）で生成し、近接通信以外の他の通信路を経由するようにして店舗端末２１宛てに送信した乱数Ｒxとが一致するかどうかを判定（確認）し、その結果を（データ入力表示部４３に）表示する。
【０１８４】
店舗端末２１は、ステップＳ３０９の処理後、ステップＳ３１０において、個人端末１１から近接通信により受信した乱数（乱数ＲY）と、自分（乱数生成部５１）で生成し、近接通信以外の他の通信部を経由するようにして個人端末１１宛てに送信した乱数ＲYとが一致するかどうかを判定（確認）し、その結果を（データ入力表示部５３に）表示する。
【０１８５】
個人端末１１に表示された乱数Ｒxの一致を確認したユーザＸは、個人端末１１において購入金額Ｍ'の送金（振り込み）を指示する入力を行う。
【０１８６】
個人端末１１は、ステップＳ２１０において、購入金額Ｍ'の送金を指示する送金指示情報を取得して、ステップＳ２１１に進み、購入金額Ｍ'の送金を表す送金指示情報を含むメールを、電話網１３などを介して通信事業者Ｂサーバ１４に送信する。
【０１８７】
通信事業者Ｂサーバ１４は、ステップＳ２２８において、個人端末１１からの送金指示情報を含むメールを受信し、ステップＳ２２９に進み、そのメールを預金口座Ｄサーバ１５に送信する。
【０１８８】
預金口座Ｄサーバ１５は、ステップＳ２４３において、通信事業者Ｂサーバ１４からの送金指示情報を含むメールを受信し、ステップＳ２４４において、その送金指示情報にしたがい、購入金額Ｍ'をユーザＸの口座から預金口座Ｃサーバ２４の店舗Ｙの口座に送金する。
【０１８９】
預金口座Ｃサーバ２４は、ステップＳ２６１において、預金口座Ｄサーバ１５からの購入金額Ｍ'の送金を受け付け、ステップＳ２６２に進み、購入金額Ｍ'の電子マネーを店舗Ｙの口座に充填する。
【０１９０】
そして、ステップＳ２６３において、預金口座Ｃサーバ２４は、購入金額Ｍ'の送金を受け取ったことを表す送金記録情報を含むメールを預金口座Ｄサーバ１５に送信する。
【０１９１】
預金口座Ｄサーバ１５は、ステップＳ２４５において、預金口座Ｃサーバ２４からの送金記録情報を含むメールを受信し、ステップＳ２４６に進み、そのメールを通信事業者Ｂサーバ１４に送信する。
【０１９２】
通信事業者Ｂサーバ１４は、ステップＳ２３０において、預金口座Ｄサーバ１５からの送金記録情報を含むメールを受信し、ステップＳ２３１に進み、そのメールを、電話網１３などを介して個人端末１１に送信する。
【０１９３】
個人端末１１は、ステップＳ２１２において、通信事業者Ｂサーバ１４からの送金記録情報を含むメールを受信し、ステップＳ２１３に進み、その送金記録情報に基づいて、購入金額Ｍ'の電子マネーの消費結果（送金指示の結果）を表示する。
【０１９４】
また、預金口座Ｃサーバ２４は、ステップＳ２６３の処理後、ステップＳ２６４において、購入金額Ｍ'が正しく店舗Ｙの口座に充填されたことを表す充填記録情報を含むメールを、通信事業者Ａサーバ２３に送信する。
【０１９５】
通信事業者Ａサーバ２３は、ステップＳ２８６において、預金口座Ｃサーバ２４からの充填記録情報を含むメールを受信し、ステップＳ２８７に進み、そのメールを、インターネット２２を介して店舗端末２１に送信する。
【０１９６】
店舗端末２１は、ステップＳ３１１において、通信事業者Ａサーバ２３からの充填記録情報を含むメールを受信し、ステップＳ３１２に進み、その充填記録情報に基づいて、銀行Ｃにおける店舗Ｙの口座残高を表示する。
【０１９７】
以上のように、図１（図２）の通信システム１によれば、ユーザＸの個人端末１１は、内部で生成した乱数Ｒxを、自分が契約している通信事業者Ｂを介して店舗端末２１に送信し、店舗端末２１から、近接通信により乱数を受信し、その受信した乱数が、通信事業者Ｂを介して店舗端末２１に送信した乱数Ｒxと一致するかどうかにより、店舗端末２１の信用を確認する（与信を行う）。また、店舗Ｙの店舗端末２１は、内部で生成した乱数ＲYを、自分が契約している通信事業者Ａを介して個人端末１１に送信し、個人端末１１から、近接通信により乱数を受信し、その受信した乱数が、通信事業者Ａを介して個人端末１１に送信した乱数ＲYと一致するかどうかにより、個人端末１１の信用を確認する（与信を行う）。この乱数Ｒxおよび乱数ＲY（送信電文）は、１回の取引だけに有効なパスワードであるといえる。
【０１９８】
従って、与信を行うために、カードに秘密鍵などの重要情報を記憶させる必要がなく、カードそのものを保持する必要もなくすことができる。また、仮にカードを保持する場合であっても、そのカードには重要情報や電子マネー（バリュー）等が記憶されていないので、カードを交換するときなどに、カード内部に記憶されているデータの移動や、カード内部に記憶されている電子マネーの払い戻し（換金）などを行う必要がない。ユーザＸが有する個人端末１１を交換するときも、端末内部に記憶されているデータの移動や、端末内部に記憶されている電子マネーの払い戻し（換金）などを行う必要がない。
【０１９９】
また、図１の通信システム１によれば、ユーザＸが店舗Ｙにおいて充填金額Ｍの電子マネーを自分の銀行口座に充填する場合、店舗Ｙの口座がある預金口座Ｃサーバ２４に対して、ユーザＸの口座がある預金口座Ｄサーバ１５への充填金額Ｍの送金指示を送信する前に、預金口座Ｃサーバ２４の店舗Ｙの口座に充填金額Ｍを支払うのに十分な金額（残高）があるかどうかが確認される。また、ユーザＸが購入金額Ｍ'の物品を店舗Ｙで購入する場合、預金口座Ｄサーバ１５に対して、預金口座Ｃサーバ２４への購入金額Ｍ'の送金指示を送信する前に、預金口座Ｄサーバ１５のユーザＸの口座に購入金額Ｍ'を支払うのに十分な金額（残高）があるかどうかが確認される。
【０２００】
従って、ユーザＸまたは店舗Ｙそれぞれは、相手の決済能力（口座の残高）を確認しながら取引を行うことができるため、安心して取引を行うことができる。例えば、店舗Ｙにとっては、預金のないユーザによる物品の購入を事前に防止することができる。
【０２０１】
さらに、図１の通信システム１によれば、電子マネーの送金予約（送金予約情報）と、実際の送金指示（送金指示情報）とを分けることにより、充填金額Ｍまたは購入金額Ｍ'のキャッシュバックなどの手続が可能となる。
【０２０２】
また、預金口座にある電子マネーの移動が行われる際には、端末にその情報（結果）が報知（表示）されるので、預金口座の所有者の知らないところで預金口座（の電子マネー）が操作されることを防止することができる。
【０２０３】
以上のように、図１の通信システム１によれば、従来のカードに秘密鍵などの重要情報を記憶させることにより生じる問題を解決することができる。
【０２０４】
なお、上述した実施の形態において、ユーザＸが契約している通信事業者Ｂと店舗Ｙが契約している通信事業者Ａとが同一である場合、通信事業者間の通信を省略することができる。また、ユーザＸが口座を有する銀行Ｄ（の預金口座サーバ１５）と店舗Ｙが口座を有する銀行Ｃ（の預金口座サーバ２４）とが同一である場合、銀行間の通信を省略することができる。
【０２０５】
さらに、図１の通信システム１において、店舗ＹのNFC通信装置２１ａが、例えば、鉄道会社の各駅に設置された自動改札機などで、自動改札機を通過する際に電車賃（乗車金額）を電子マネーで決済するなどの、決済に迅速（高速）な処理時間が要求される場合には、次のようにすることができる。
【０２０６】
即ち、ユーザＸは、乗車する前に、個人端末１１により、目的地に応じた電車賃を店舗Ｙに送金予約し、その予約に対応する予約番号を店舗Ｙから取得する。そして、ユーザＸが自動改札機（店舗端末２１のNFC通信装置２１a）を通過する際、個人端末１１と店舗端末２１との近接通信により、個人端末１１は、予約番号を店舗端末２１に送信し、店舗端末２１は、受信した予約番号から情報の信憑性を確認し、ユーザＸが出口の自動改札機を通過する際に必要となる鍵（出場鍵）を送信する。
【０２０７】
出口の自動改札機において、ユーザＸの個人端末１１は、店舗端末２１との近接通信により、受信した出場鍵を送信する。自動改札機（店舗端末２１）は、出場鍵を受信したら、ゲートを開放し、ユーザＸを出場させる。そして、店舗端末２１は、出場鍵の情報から、ユーザＸの実際の電車賃を計算し、振り込み依頼を個人端末１１に対して行い、振り込みさせる。
【０２０８】
上述した一連の処理は、専用のハードウエアにより実行させることもできるし、ソフトウエアにより実行させることもできる。一連の処理をソフトウエアにより実行させる場合には、そのソフトウエアを構成するプログラムが装置（端末）内のメモリ等の記録媒体にインストールされる。
【０２０９】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【図面の簡単な説明】
【０２１０】
【図１】本発明を適用した通信システムの一実施の形態の構成例を示す図である。
【図２】図１の通信システム１の構成例を示すブロック図である。
【図３】通信システム１における充填処理を説明するフローチャートである。
【図４】通信システム１における充填処理を説明するフローチャートである。
【図５】通信システム１における物品購入処理を説明するフローチャートである。
【図６】通信システム１における物品購入処理を説明するフローチャートである。
【符号の説明】
【０２１１】
１  通信システム，  １１  個人端末，  ２１  店舗端末，  ４１  乱数生成部，  ４２  NFC I/F，  ４３  データ入力表示部，  ４４  通信部，  ４６  制御部，  ５１  乱数生成部，  ５２  NFC I/F，  ５３  データ入力表示部，  ５４  通信部，  ５６  制御部
【図１】
2006238128.tif 000003
【図２】
2006238128.tif 000004
【図３】
2006238128.tif 000005
【図４】
2006238128.tif 000006
【図５】
2006238128.tif 000007
【図６】
2006238128.tif 000008